(57)【特許請求の範囲】
【請求項１】
端末装置と通信する基地局装置であって、
下りリンク物理共有チャネルの復調を行うための参照信号の生成に用いられるアンテナポート番号、スクランブリングアイデンティティ及びレイヤ数の指示に用いる情報を設定する上位層処理部と、
前記アンテナポート番号、スクランブリングアイデンティティ及びレイヤ数のメッセージを示す値を含む下りリンク制御情報を送信する送信部と、を備え、
前記送信部は、前記アンテナポート番号、スクランブリングアイデンティティ及びレイヤ数の指示に用いる情報が設定された場合、第１のテーブルに含まれる前記アンテナポート番号、スクランブリングアイデンティティ及びレイヤ数を示す値を送信し、前記アンテナポート番号、スクランブリングアイデンティティ及びレイヤ数の指示に用いる情報が設定されない場合、第２のテーブルに含まれる前記アンテナポート番号、スクランブリングアイデンティティ及びレイヤ数を示す値を送信し、
前記アンテナポート番号、スクランブリングアイデンティティ及びレイヤ数を示す値が前記第１のテーブル及び前記第２のテーブルで同じ値において、前記第１のテーブルで示されるレイヤ数はコードワード数１における前記同じ値の全てで１であり、前記第２のテーブルで示されるレイヤ数はコードワード数１における前記同じ値のうち一部が１で、別の一部が複数である、
基地局装置。
【請求項２】
前記アンテナポート番号、スクランブリングアイデンティティ及びレイヤ数を示す値が前記第１のテーブル及び前記第２のテーブルで同じ値において、前記第１のテーブルでは、コードワード数１における前記同じ値の全てで前記スクランブリングアイデンティティは０又は１のいずれかに明示的に示されており、前記第２のテーブルでは、前記同じ値の一部において前記スクランブリングアイデンティティの一部が０又は１のいずれかに明示的に示されている、
請求項１に記載の基地局装置。
【請求項３】
コードワード数１における前記アンテナポート番号、スクランブリングアイデンティティ及びレイヤ数を示す値が前記第１のテーブル及び前記第２のテーブルで同じ値において、前記同じ値の中でスクランブリングアイデンティティが明示的に示されていない値において、該スクランブリングアイデンティティが０である、
請求項１又は請求項２に記載の基地局装置。
【請求項４】
コードワード数１における前記アンテナポート番号、スクランブリングアイデンティティ及びレイヤ数を示す値が前記第１のテーブル及び第２のテーブルで同じ値の範囲において、前記第１のテーブルが示すアンテナポート番号の数と前記第２のテーブルが示すアンテナポート番号の数は異なる、
請求項１から請求項３のいずれかに記載の基地局装置。
【請求項５】
コードワード数２における前記アンテナポート番号、スクランブリングアイデンティティ及びレイヤ数を示す値が前記第１のテーブル及び第２のテーブルで同じ値において、明示的に示されたスクランブリングアイデンティティと関連付けられたアンテナポート番号の数が、第２のテーブルにおいて明示的に０又は１に示されたスクランブリングアイデンティティと関連付けられたアンテナポート番号の数の２倍である、
請求項１から請求項４のいずれかに記載の基地局装置。
【請求項６】
前記コードワード数２の前記第１のテーブル及び第２のテーブルで同じ値において、スクランブリングアイデンティティが明示的に示されていない値において、前記スクランブリングアイデンティティが０である、
請求項５に記載の基地局装置。
【請求項７】
基地局装置と通信する端末装置であって、
下りリンク物理共有チャネルの復調を行うための参照信号の生成に用いられているアンテナポート番号、スクランブリングアイデンティティ及びレイヤ数の指示に用いる情報と前記アンテナポート番号、スクランブリングアイデンティティ及びレイヤ数のメッセージを示す値を含む下りリンク制御情報を受信する受信部と、を備え、
前記受信部は、前記アンテナポート番号、スクランブリングアイデンティティ及びレイヤ数の指示に用いる情報を受信した場合、前記アンテナポート番号、スクランブリングアイデンティティ及びレイヤ数を示す値を第１のテーブルで指定されている前記アンテナポート番号、スクランブリングアイデンティティ及びレイヤ数と解釈し、前記アンテナポート番号、スクランブリングアイデンティティ及びレイヤ数の指示に用いる情報を受信しない場合、前記アンテナポート番号、スクランブリングアイデンティティ及びレイヤ数を示す値を第２のテーブルで指定されている前記アンテナポート番号、スクランブリングアイデンティティ及びレイヤ数と解釈し、
前記アンテナポート番号、スクランブリングアイデンティティ及びレイヤ数を示す値が前記第１のテーブル及び前記第２のテーブルで同じ値において、前記第１のテーブルで示されるレイヤ数はコードワード数１における前記同じ値の全てで１であり、前記第２のテーブルで示されるレイヤ数はコードワード数１における前記同じ値のうち一部が１で、別の一部が複数である、
端末装置。
【請求項８】
前記アンテナポート番号、スクランブリングアイデンティティ及びレイヤ数を示す値が前記第１のテーブル及び前記第２のテーブルで同じ値において、前記第１のテーブルでは、コードワード数１における前記同じ値の全てで前記スクランブリングアイデンティティは０又は１に明示的に示されており、前記第２のテーブルでは、前記同じ値の一部において前記スクランブリングアイデンティティの一部が０又は１に明示的に示されている、
請求項７に記載の端末装置。
【請求項９】
コードワード数１における前記アンテナポート番号、スクランブリングアイデンティティ及びレイヤ数を示す値が前記第１のテーブル及び前記第２のテーブルで同じ値において、前記同じ値の中でスクランブリングアイデンティティが明示的に示されていない値において、該スクランブリングアイデンティティが０である、
請求項７又は請求項８に記載の端末装置。
【請求項１０】
コードワード数１における前記アンテナポート番号、スクランブリングアイデンティティ及びレイヤ数を示す値が前記第１のテーブル及び第２のテーブルで同じ値の範囲において、前記第１のテーブルが示すアンテナポート番号の数と前記第２のテーブルが示すアンテナポート番号の数は異なる、
請求項７から請求項９のいずれかに記載の端末装置。
【請求項１１】
コードワード数２における前記アンテナポート番号、スクランブリングアイデンティティ及びレイヤ数を示す値が前記第１のテーブル及び第２のテーブルで同じ値において、明示的に示されたスクランブリングアイデンティティと関連付けられたアンテナポート番号の数が、第２のテーブルにおいて明示的に０又は１に示されたスクランブリングアイデンティティと関連付けられたアンテナポート番号の数の２倍である、
請求項７から請求項１０のいずれかに記載の端末装置。
【請求項１２】
前記コードワード数２の前記第１のテーブル及び第２のテーブルで同じ値において、スクランブリングアイデンティティが明示的に示されていない値において、前記スクランブリングアイデンティティが０である、
請求項１１に記載の端末装置。
【請求項１３】
端末装置と通信する基地局装置の通信方法であって、
下りリンク物理共有チャネルの復調を行うための参照信号の生成に用いられるアンテナポート番号、スクランブリングアイデンティティ及びレイヤ数の指示に用いる情報を設定する設定ステップと、
前記アンテナポート番号、スクランブリングアイデンティティ及びレイヤ数のメッセージを示す値を含む下りリンク制御情報を送信する送信ステップと、を有し、
前記基地局装置は、前記アンテナポート番号、スクランブリングアイデンティティ及びレイヤ数の指示に用いる情報が設定された場合、第１のテーブルに含まれる前記アンテナポート番号、スクランブリングアイデンティティ及びレイヤ数を示す値を送信し、前記アンテナポート番号、スクランブリングアイデンティティ及びレイヤ数の指示に用いる情報が設定されない場合、第２のテーブルに含まれる前記アンテナポート番号、スクランブリングアイデンティティ及びレイヤ数を示す値を送信し、
前記アンテナポート番号、スクランブリングアイデンティティ及びレイヤ数を示す値が前記第１のテーブル及び前記第２のテーブルで同じ値において、前記第１のテーブルで示されるレイヤ数はコードワード数１における前記同じ値の全てで１であり、前記第２のテーブルで示されるレイヤ数はコードワード数１における前記同じ値のうち一部が１で、別の一部が複数である、
通信方法。
【請求項１４】
基地局装置と通信する端末装置の通信方法であって、
下りリンク物理共有チャネルの復調を行うための参照信号の生成に用いられているアンテナポート番号、スクランブリングアイデンティティ及びレイヤ数の指示に用いる情報を受信する第１のステップと、前記アンテナポート番号、スクランブリングアイデンティティ及びレイヤ数のメッセージを示す値を含む下りリンク制御情報を受信する第２のステップと、を有し、
前記端末装置は、前記アンテナポート番号、スクランブリングアイデンティティ及びレイヤ数の指示に用いる情報を受信した場合、前記アンテナポート番号、スクランブリングアイデンティティ及びレイヤ数を示す値を第１のテーブルで指定されている前記アンテナポート番号、スクランブリングアイデンティティ及びレイヤ数と解釈し、前記アンテナポート番号、スクランブリングアイデンティティ及びレイヤ数の指示に用いる情報を受信しない場合、前記アンテナポート番号、スクランブリングアイデンティティ及びレイヤ数を示す値を第２のテーブルで指定されている前記アンテナポート番号、スクランブリングアイデンティティ及びレイヤ数と解釈し、
前記アンテナポート番号、スクランブリングアイデンティティ及びレイヤ数を示す値が前記第１のテーブル及び前記第２のテーブルで同じ値において、前記第１のテーブルで示されるレイヤ数はコードワード数１における前記同じ値の全てで１であり、前記第２のテーブルで示されるレイヤ数はコードワード数１における前記同じ値のうち一部が１で、別の一部が複数である、
通信方法。
【発明の詳細な説明】
【技術分野】
【０００１】
本発明は、端末装置、基地局装置、および集積回路に関する。
【背景技術】
【０００２】
近年、スマートフォンやタブレット端末の普及に伴い、モバイル伝送におけるトラフィックは、指数的に増大を続けており、今後もさらに増大することが予想されている。このような無線トラフィックの増大の対策の１つとして、ヘテロジーニアスネットワーク（Heterogeneous Network）による基地局の高密度配置の検討が行なわれている。基地局の高密度配置は、マクロセル内に小電力基地局（Low Power Node: LPN）等を配置し、端末装置が小電力基地局に接続することで、マクロ基地局の負荷を軽減するものである。この時、セル間干渉（Inter-Cell Interference）が問題となる。【０００３】
また、セルスループットを向上させるために、複数の端末装置を空間多重するＭＵ−ＭＩＭＯ（Multi-User Multiple Input Multiple Output）の検討も行なわれている。ＭＵ−ＭＩＭＯでは、端末装置間の干渉（ユーザ間干渉）が問題となる。【０００４】
このようなセル間干渉やユーザ間干渉に対して、３ＧＰＰ（3rd Generation Partnership Project）では、端末装置が干渉信号を抑圧または除去するＮＡＩＣＳ（Network Assisted Interference Cancellation and Suppression）の検討が行なわれている。ＮＡＩＣＳでは、端末装置は、干渉となっている他の端末装置に関するパラメータを受け取り、前記パラメータを用いて干渉となっている他の端末装置宛の信号を検出し、干渉信号を除去する。これにより、端末装置は、自端末装置宛の所望信号を得る。ＮＡＩＣＳについては、非特許文献１に記載されている。
【先行技術文献】
【非特許文献】
【０００５】
【非特許文献１】ＲＰ−１３０４０４、“Ｓｔｕｄｙ  ｏｎ  Ｎｅｔｗｏｒｋ−Ａｓｓｉｓｔｅｄ  Ｉｎｔｅｒｆｅｒｅｎｃｅ  Ｃａｎｃｅｌｌａｔｉｏｎ  ａｎｄ  Ｓｕｐｐｒｅｓｓｉｏｎ  ｆｏｒ  ＬＴＥ、”  ３ＧＰＰ  ＴＳＧ  ＲＡＮ  Ｍｅｅｔｉｎｇ  ＃５９、２０１３年  ３月。
【発明の概要】
【発明が解決しようとする課題】
【０００６】
端末装置が干渉信号を除去または抑圧するためには、干渉信号の情報が必要となる。しかしながら、基地局装置が端末装置に、干渉信号の情報を送信すると制御信号が増大するため、スループットが劣化するという問題がある。【０００７】
本発明はこのような事情を鑑みてなされたものであり、その目的は、制御情報の増大を抑えながら干渉信号による性能劣化を軽減することが可能な端末装置、基地局装置、および集積回路を提供することにある。
【課題を解決するための手段】
【０００８】
上述した課題を解決するために本発明に係る端末装置、基地局装置、および集積回路の構成は、次の通りである。【０００９】
本発明の端末装置は、基地局装置と通信する端末装置であって、ＮＡＩＣＳを適用するか否かの指示を判断する上位層を備え、前記上位層でＮＡＩＣＳを適用する旨が指示された場合には、自端末装置宛の信号と干渉信号のレイヤ数、アンテナポート番号、スクランブリングアイデンティティを判断する制御部を備える。【００１０】
また、本発明の端末装置において、下りリンク制御情報を受信する受信部をさらに備え、前記制御部は、前記干渉信号のレイヤ数、アンテナポート番号、スクランブリングアイデンティティのうち、少なくとも１つを前記下りリンク制御情報に基づいて判断する。【００１１】
また、本発明の端末装置において、前記制御部は、前記干渉信号のレイヤ数、アンテナポート番号、スクランブリングアイデンティティのうち、少なくとも１つを前記上位層で設定された複数の候補の中から判断する。【００１２】
また、本発明の端末装置において、前記下りリンク制御情報は、前記レイヤ数、アンテナポート番号、スクランブリングアイデンティティのうち少なくとも１つからなる２つの組合せを示す情報を含み、前記制御部は、前記組合せの一方が自端末装置宛の信号に対応し、もう一方が干渉信号に対応すると判断する。【００１３】
また、本発明の端末装置において、前記制御部は、前記自端末装置宛の信号のアンテナポート番号から干渉信号のアンテナポート番号を判断する。【００１４】
また、本発明の端末装置において、前記制御部は、前記干渉信号のアンテナポート番号は、前記下りリンク制御情報が示す前記自端末装置宛の信号のアンテナポート番号と異なると判断する。【００１５】
また、本発明の端末装置において、前記制御部は、前記自端末装置宛の信号のスクランブリングアイデンティティと前記干渉信号のスクランブリングアイデンティティが異なると判断する。【００１６】
また、本発明の端末装置において、前記制御部は、前記自端末装置宛の信号のレイヤ数が２以下であり、前記干渉信号のレイヤ数が１であると判断する。【００１７】
また、本発明の端末装置において、前記制御部は、前記自端末装置宛の信号と前記干渉信号のレイヤ数、アンテナポート番号、スクランブリングアイデンティティを示す複数の候補の中の１つと判断する。【００１８】
また、本発明の端末装置において、前記複数の候補はテーブルであり、前記テーブルは、レイヤ数、アンテナポート番号、スクランブリングアイデンティティを示すセルを含み、前記セルは、前記自端末装置宛の信号と前記干渉信号のレイヤ数、アンテナポート番号、スクランブリングアイデンティティを含み、前記制御部は、前記テーブルを用いて前記自端末装置宛の信号と前記干渉信号のレイヤ数、アンテナポート番号、スクランブリングアイデンティティを判断する。【００１９】
また、本発明の端末装置において、前記セルは、上段で前記自端末装置宛の信号のレイヤ数、アンテナポート番号、スクランブリングアイデンティティを示し、下段で前記干渉信号のレイヤ数、アンテナポート番号、スクランブリングアイデンティティを示し、前記制御部は、前記上段と前記下段を用いて前記自端末装置宛の信号と前記干渉信号のレイヤ数、アンテナポート番号、スクランブリングアイデンティティを判断する。【００２０】
また、本発明の端末装置において、前記制御部は、前記干渉信号のレイヤ数、アンテナポート番号、スクランブリングアイデンティティのうち少なくとも１つをブラインド検出する。【００２１】
また、本発明の端末装置において、前記制御部は、異なるスクランブリングアイデンティティで生成された参照信号を用いて算出されるチャネル推定値の各々に基づいてスクランブリングアイデンティティをブラインド検出する。【００２２】
本発明の基地局装置は、端末装置と通信する基地局装置であって、前記端末装置にＮＡＩＣＳを指示するか否かを示すＮＡＩＣＳ情報を設定する上位層と、前記ＮＡＩＣＳ情報がＮＡＩＣＳを指示する旨を示す場合、前記端末装置宛の信号と干渉信号のレイヤ数、アンテナポート番号、スクランブリングアイデンティティを示す情報を送信する送信部と、を備える。【００２３】
また、本発明の基地局装置において、前記送信部は、前記端末装置宛の信号と干渉信号のレイヤ数、アンテナポート番号、スクランブリングアイデンティティを示す情報を含む下りリンク制御情報を送信する。【００２４】
また、本発明の基地局装置において、前記干渉信号のレイヤ数、アンテナポート番号、スクランブリングアイデンティティの少なくとも１つについて前記上位層で複数の候補を設定する。【００２５】
本発明の集積回路は、基地局装置と通信する端末装置に実装される集積回路であって、ＮＡＩＣＳを適用するか否かの指示を上位層で判断する手段と、前記上位層でＮＡＩＣＳを適用する旨が指示された場合には、自端末装置宛の信号と干渉信号のレイヤ数、アンテナポート番号、スクランブリングアイデンティティを判断する制御手段と、を備える。【００２６】
本発明の集積回路は、端末装置と通信する基地局装置に実装される集積回路であって、前記端末装置にＮＡＩＣＳを指示するか否かを示すＮＡＩＣＳ情報を上位層で設定する手段と、前記ＮＡＩＣＳ情報がＮＡＩＣＳを指示する旨を示す場合、前記端末装置宛の信号と干渉信号のレイヤ数、アンテナポート番号、スクランブリングアイデンティティを示す情報を送信する送信手段と、を備える。
【発明の効果】
【００２７】
本発明によれば、端末装置は、干渉信号を除去または抑圧するために必要なレイヤ数、アンテナポート番号、スクランブリングアイデンティティを取得ことができる。また、端末装置は、取得したレイヤ数、アンテナポート番号、スクランブリングアイデンティティを用いて、高精度に干渉信号を除去または抑圧し、干渉による受信性能の劣化を軽減することができる。
【図面の簡単な説明】
【００２８】
【図１】本実施形態に係る通信システムの例を示す図である。
【図２】本実施形態における基地局装置１の構成を示す概略ブロック図である。
【図３】基地局装置１が端末装置２に送信するレイヤ数、アンテナポート番号、スクランブリングアイデンティティの一例である。
【図４】基地局装置１が端末装置２に送信する、前記端末装置２宛の信号と干渉信号のレイヤ数、アンテナポート番号、スクランブリングアイデンティティの一例である。
【図５】基地局装置１が端末装置２に送信する、前記端末装置２宛の信号と干渉信号のレイヤ数、アンテナポート番号、スクランブリングアイデンティティの一例である。
【図６】基地局装置１が端末装置２に送信する、前記端末装置２宛の信号と干渉信号のレイヤ数、アンテナポート番号、スクランブリングアイデンティティの一例である。
【図７】基地局装置１が端末装置２に送信する、前記端末装置２宛の信号と干渉信号のレイヤ数、アンテナポート番号、スクランブリングアイデンティティの一例である。
【図８】基地局装置１が端末装置２に送信する、前記端末装置２宛の信号と干渉信号のレイヤ数、アンテナポート番号、スクランブリングアイデンティティの一例である。
【図９】基地局装置１が端末装置２に送信する、前記端末装置２宛の信号と干渉信号のレイヤ数、アンテナポート番号、スクランブリングアイデンティティの一例である。
【図１０】基地局装置１が端末装置２に送信する、前記端末装置２宛の信号と干渉信号のレイヤ数、アンテナポート番号、スクランブリングアイデンティティの一例である。
【図１１】基地局装置１が端末装置２に送信する、前記端末装置２宛の信号のレイヤ数、アンテナポート番号、スクランブリングアイデンティティと干渉信号の一例である。
【図１２】制御部１０２において、レイヤ数、アンテナポート番号、スクランブリングアイデンティティを設定するための処理の流れを示す図である。
【図１３】本実施形態における端末装置２の構成を示す概略ブロック図である。
【図１４】多重分離部２０４２と信号検出部２０４３の処理の流れを示す図である。
【発明を実施するための形態】
【００２９】
本実施形態における通信システムは、基地局装置（送信装置、セル、送信点、送信アンテナ群、送信アンテナポート群、コンポーネントキャリア、eNodeB）および端末装置（端末、移動端末、受信点、受信端末、受信装置、受信アンテナ群、受信アンテナポート群、UE）を備える。
【００３０】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００３１】
図１は、本実施形態に係る通信システムの例を示す図である。図１に示すように、本実施形態における通信システムは、基地局装置１、端末装置２Ａ、２Ｂを備える。また、カバレッジ１−１は、基地局装置１が端末装置と接続可能な範囲（通信エリア）である。以下では、端末装置２Ａ、２Ｂを端末装置２とも記載する。
【００３２】
図１において、基地局装置１は、端末装置２Ａ宛の信号と端末装置２Ｂ宛の信号とを空間多重する。端末装置２における受信信号は、自端末装置（第１の端末装置とも称する）宛の所望信号と、干渉となる端末装置（第２の端末装置とも称する）宛の信号とを含む。具体的には、端末装置２Ａにおける受信信号は、基地局装置１から送信された自端末装置宛の所望信号と端末装置２Ｂ宛の信号である干渉信号とを含む。また、端末装置２Ｂにおける受信信号は、基地局装置１から送信された自端末装置宛の所望信号と端末装置２Ａ宛の信号である干渉信号とを含む。このように、本実施形態では、基地局装置が複数の端末装置を空間多重することによって、端末装置がユーザ間干渉を受ける場合であればよく、図１の通信システムに限定されない。
【００３３】
図１において、端末装置２から基地局装置１への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３４】
ＰＵＣＣＨは、上りリンク制御情報（Uplink Control Information: UCI）を送信するために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ACK/NACK）を含む。下りリンクデータに対するＡＣＫ／ＮＡＣＫを、ＨＡＲＱ−ＡＣＫ、ＨＡＲＱフィードバックとも称する。
【００３５】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリング要求（Scheduling Request: SR）を含む。
【００３６】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられてもよい。また、ＰＵＳＣＨは、上りリンク制御情報のみを送信するために用いられてもよい。
【００３７】
また、ＰＵＳＣＨは、ＲＲＣメッセージを送信するために用いられる。ＲＲＣメッセージは、無線リソース制御（Radio Resource Control: RRC）層において処理される情報／信号である。また、ＰＵＳＣＨは、ＭＡＣ  ＣＥ（Control Element）を送信するために用いられる。ここで、ＭＡＣ  ＣＥは、媒体アクセス制御（Medium Access Control: MAC）層において処理（送信）される情報／信号である。
【００３８】
例えば、パワーヘッドルームは、ＭＡＣ  ＣＥに含まれ、ＰＵＳＣＨを経由して報告されてもよい。すなわち、ＭＡＣ  ＣＥのフィールドが、パワーヘッドルームのレベルを示すために用いられてもよい。
【００３９】
ＰＲＡＣＨは、ランダムアクセスプリアンブルを送信するために用いられる。
【００４０】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００４１】
ＤＭＲＳは、ＰＵＳＣＨまたはＰＵＣＣＨの送信に関連する。例えば、基地局装置１は、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１は、上りリンクのチャネル状態を測定するためにＳＲＳを使用する。
【００４２】
図１において、基地局装置１から端末装置２への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
【００４３】
ＰＢＣＨは、端末装置２で共通に用いられるマスターインフォメーションブロック（Master Information Block: MIB, Broadcast Channel: BCH）を報知するために用いられる。ＰＣＦＩＣＨは、ＰＤＣＣＨの送信に用いられる領域（例えば、OFDMシンボルの数）を指示する情報を送信するために用いられる。
【００４４】
ＰＨＩＣＨは、基地局装置１が受信した上りリンクデータに対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（HARQフィードバック）を送信するために用いられる。
【００４５】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００４６】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００４７】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００４８】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００４９】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００５０】
端末装置２は、下りリンクアサインメントを用いてＰＤＳＣＨのリソースがスケジュールされた場合、スケジュールされたＰＤＳＣＨで下りリンクデータを受信する。また、端末装置２は、上りリンクグラントを用いてＰＵＳＣＨのリソースがスケジュールされた場合、スケジュールされたＰＵＳＣＨで上りリンクデータおよび／または上りリンク制御情報を送信する。
【００５１】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００５２】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００５３】
また、ＰＤＳＣＨは、ＲＲＣメッセージを送信するために用いられる。ここで、基地局装置１から送信されるＲＲＣメッセージは、セル内における複数の端末装置２に対して共通であってもよい。また、基地局装置１から送信されるＲＲＣメッセージは、ある端末装置２に対して専用のメッセージ（dedicated signalingとも称する）であってもよい。すなわち、ユーザ装置スペシフィック（ユーザ装置固有）な情報は、ある端末装置２に対して専用のメッセージを使用して送信される。また、ＰＤＳＣＨは、ＭＡＣ  ＣＥを送信するために用いられる。
【００５４】
ここで、ＲＲＣメッセージおよび／またはＭＡＣ  ＣＥを、上位層の信号（higher layer signaling）とも称する。
【００５５】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００５６】
同期信号は、端末装置２が、下りリンクの周波数領域および時間領域の同期を取るために用いられる。また、下りリンク参照信号は、端末装置２が、下りリンク物理チャネルの伝搬路補正を行なうために用いられる。例えば、下りリンク参照信号は、端末装置２が、下りリンクのチャネル状態情報を算出するために用いられる。
【００５７】
ここで、下りリンク参照信号には、ＣＲＳ（Cell-specific Reference Signal）、ＰＤＳＣＨに関連するＵＲＳ（UE-specific Reference Signal）、ＥＰＤＣＣＨに関連するＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）が含まれる。
【００５８】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００５９】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００６０】
ＮＺＰ  ＣＳＩ−ＲＳのリソースは、基地局装置１によって設定される。例えば、端末装置２は、ＮＺＰ  ＣＳＩ−ＲＳを用いて信号の測定（チャネルの測定）を行なう。ＺＰ  ＣＳＩ−ＲＳのリソースは、基地局装置１によって設定される。基地局装置１は、ＺＰ  ＣＳＩ−ＲＳをゼロ出力で送信する。例えば、端末装置２は、ＮＺＰ  ＣＳＩ−ＲＳが対応するリソースにおいて干渉の測定を行なう。
【００６１】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００６２】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポートブロックは、ＭＡＣ層が物理層に渡す（deliverする）データの単位である。物理層において、トランスポートブロックはコードワードにマップされ、コードワード毎に符号化処理などが行なわれる。
【００６３】
図２は、本実施形態における基地局装置１の構成を示す概略ブロック図である。図２に示すように、基地局装置１は、上位層処理部１０１、制御部１０２、送信部１０３、受信部１０４と送受信アンテナ１０５を含んで構成される。また、上位層処理部１０１は、無線リソース制御部１０１１、スケジューリング部１０１２、および、ＮＡＩＣＳ情報生成部１０１３を含んで構成される。また、送信部１０３は、符号化部１０３１、変調部１０３２、下りリンク参照信号生成部１０３３、多重部１０３４、無線送信部１０３５を含んで構成される。また、受信部１０４は、無線受信部１０４１、多重分離部１０４２、復調部１０４３、復号部１０４４を含んで構成される。
【００６４】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００６５】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成し、又は上位ノードから取得する。無線リソース制御部１０１１は、下りリンクデータを送信部１０３に出力し、他の情報を制御部１０２に出力する。また、無線リソース制御部１０１１は、端末装置２の各種設定情報の管理をする。
【００６６】
スケジューリング部１０１２は、物理チャネル（PDSCHおよびPUSCH）を割り当てる周波数およびサブフレーム、物理チャネル（PDSCHおよびPUSCH）の符号化率および変調方式（あるいはMCS）および送信電力などを決定する。スケジューリング部１０１２は、決定した情報を制御部１０２に出力する。
【００６７】
スケジューリング部１０１２は、スケジューリング結果に基づき、物理チャネル（PDSCHおよびPUSCH）のスケジューリングに用いられる情報を生成する。スケジューリング部１０１２は、生成した情報を制御部１０２に出力する。本実施形態では、一例として、スケジューリング部１０１２は、端末装置２Ａおよび端末装置２Ｂを同じリソースにスケジューリングする。なお、本実施形態では簡単のため、同じリソースとしたが、端末装置２Ｂのリソース割り当てを端末装置２Ａが取得することができるといった条件で、異なるリソースにスケジューリングしてもよい。
【００６８】
ＮＡＩＣＳ情報生成部１０１３は、ＮＡＩＣＳ情報を生成し、制御部１０２に出力する。ＮＡＩＣＳ情報は、基地局装置１が端末装置２に対して、ＮＡＩＣＳによる干渉信号の除去または抑圧を指示するか否かを示す情報である。ＮＡＩＣＳ情報は、基地局装置１が端末装置２の下りリンク制御情報を生成する際に用いられる。例えば、端末装置２ＡのＮＡＩＣＳ情報がＮＡＩＣＳを指示する旨を表す場合、基地局装置１は、端末装置２ＡがＮＡＩＣＳによる受信処理を行なうために必要な情報が含まれるように端末装置２Ａの下りリンク制御情報を生成することができる。なお、ＮＡＩＣＳ情報生成部１０１３は、端末装置２から通知された端末情報に含まれる情報に基づいてＮＡＩＣＳ情報を生成してもよいし、端末情報に従わずに基地局装置１が生成してもよい。例えば、基地局装置１が下りリンク制御情報として干渉となる端末装置に関する情報を通知する場合に、ＮＡＩＣＳ情報生成部１０１３は、ＮＡＩＣＳを指示する端末装置の数と、下りリンク制御情報として通知する端末装置の数とが一致するようにＮＡＩＣＳ情報を生成してもよい。また、ＮＡＩＣＳ情報は、ＮＡＩＣＳ方式を用いる場合に限定されず、干渉信号を除去または抑圧する方式を用いる場合であれば適用可能である。
【００６９】
制御部１０２は、上位層処理部１０１から入力された情報に基づいて、送信部１０３および受信部１０４の制御を行なう制御信号を生成する。また、制御部１０２は、上位層処理部１０１から入力された情報に基づいて、ＭＣＳを決定する。また、制御部１０２は、上位層処理部１０１から入力された情報に基づいて、コードワード数を決定する。また、制御部１０２は、上位層処理部１０１から入力された情報に基づいて、レイヤ数、アンテナポート番号、スクランブリングアイデンティティ（スクランブリング識別子、scrambling identity）を決定する。
【００７０】
制御部１０２は、上位層処理部１０１から入力された情報に基づいて、下りリンク制御情報を生成し、送信部１０３に出力する。なお、下りリンク制御情報にＮＡＩＣＳ情報を含めてもよい。また、下りリンク制御情報はコードワード数を示す情報を含むことができる。また、下りリンク制御情報はレイヤ数、アンテナポート番号、スクランブリングアイデンティティを含むことができる。
【００７１】
制御部１０２は、ＮＡＩＣＳ情報に基づき、下りリンク制御情報に含まれるレイヤ数、アンテナポート番号、スクランブリングアイデンティティを設定する。制御部１０２は、ＮＡＩＣＳ情報がＮＡＩＣＳを指示する旨を示す場合に、干渉除去または抑圧を行なう信号のレイヤ数、アンテナポート番号、スクランブリングアイデンティティを下りリンク制御情報に含めることができる。
【００７２】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。
【００７３】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、ＱＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。
【００７４】
下りリンク参照信号生成部１０３３は、基地局装置１を識別するための物理セル識別子（PCI）などを基に予め定められた規則で求まる、端末装置２が既知の系列を下りリンク参照信号として生成する。また、下りリンク参照信号生成部１０３３は、スクランブリングアイデンティティに基づいてＤＭＲＳを生成することができる。
【００７５】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【００７６】
無線送信部１０３５は、多重された変調シンボルなどを逆高速フーリエ変換（Inverse Fast Fourier Transform: IFFT）して、ＯＦＤＭ方式の変調を行ない、ＯＦＤＭ変調されたＯＦＤＭシンボルにサイクリックプリフィックス（Cyclic Prefix: CP）を付加し、ベースバンドのディジタル信号を生成する。無線送信部１０３５は、フィルタリング、ＤＡ（Digital-to-Analog）変換、周波数変換、電力増幅等を用いることで、生成したベースバンドのディジタル信号を所望帯域のアナログ信号に変換する。無線送信部１０３５は、生成したアナログ信号を送受信アンテナ１０５に出力して送信する。
【００７７】
受信部１０４は、制御部１０２から入力された制御信号に従って、送受信アンテナ１０５を介して端末装置２から受信した受信信号を分離、復調、復号し、復号した情報を上位層処理部１０１に出力する。
【００７８】
無線受信部１０４１は、周波数変換、フィルタリング、ＡＤ（Analog-to-Digital）変換、振幅制御等を用いることで、送受信アンテナ１０５を介して受信された上りリンクの信号をベースバンドのディジタル信号に変換する。
【００７９】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行ない、周波数領域の信号を抽出し多重分離部１０４２に出力する。
【００８０】
多重分離部１０４２は、無線受信部１０４１から入力された信号をＰＵＣＣＨ、ＰＵＳＣＨ、上りリンク参照信号などの信号に分離する。なお、この分離は、予め基地局装置１が無線リソース制御部１０１１で決定し、各端末装置２に通知した上りリンクグラントに含まれる無線リソースの割り当て情報に基づいて行なわれる。
【００８１】
また、多重分離部１０４２は、ＰＵＣＣＨとＰＵＳＣＨの伝搬路の補償を行なう。また、多重分離部１０４２は、上りリンク参照信号を分離する。
【００８２】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。なお、逆離散フーリエ変換は、ＰＵＳＣＨのサブキャリア数に応じた逆高速フーリエ変換であってもよい。
【００８３】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【００８４】
図３は、制御部１０２が決定する自端末装置宛の信号のレイヤ数、アンテナポート番号、スクランブリングアイデンティティを示す一例である。ｎＳＣＩＤはスクランブリングアイデンティティを示す。例えば、端末装置２Ａへの通信で１レイヤ、ポート７、スクランブリングアイデンティティ０を用いる場合、制御部１０２は値０を端末装置２Ａに通知する。端末装置２Ａは、値０を受信した場合、自端末宛の信号が、１レイヤ、ポート７、スクランブリングアイデンティティ０であることを知ることができる。なお、スクランブリングアイデンティティが明示されていない場合、ｎＳＣＩＤ＝０とすることができる。
【００８５】
図４〜１１は、上位層でＮＡＩＣＳが指示または設定されている場合に、制御部１０２が決定するレイヤ数、アンテナポート番号、スクランブリングアイデンティティを示す例である。各図のあるメッセージの行において、上段は各端末装置宛の所望信号のレイヤ数、アンテナポート番号、スクランブリングアイデンティティを、下段はその端末に届く干渉信号のレイヤ数、アンテナポート番号、スクランブリングアイデンティティを表す。なお、上段が干渉信号のレイヤ数、アンテナポート番号、スクランブリングアイデンティティを表し、下段が自端末装置宛の信号のレイヤ数、アンテナポート番号、スクランブリングアイデンティティを表してもよい。１段のみを持つ行は、各端末装置宛の信号のレイヤ数、アンテナポート番号、スクランブリングアイデンティティを表す。図４〜１１では、１つの値に対応する所望信号のアンテナポート番号と干渉信号のアンテナポート番号が異なっているため、端末装置は自端末装置宛の信号のアンテナポート番号と干渉信号のアンテナポート番号を取得することができる。
【００８６】
図４は、コードワード数１およびレイヤ数１の場合の一例である。図４では、自端末装置宛にアンテナポート番号７が設定される場合、干渉信号のアンテナポート番号が８になるように設定する。また、図４では、自端末装置宛にアンテナポート番号８が設定される場合、干渉信号のアンテナポート番号が７になるように設定する。例えば、端末装置２ＡのＮＡＩＣＳ情報がＮＡＩＣＳを指示する旨を表し、端末装置２ＢのＮＡＩＣＳ情報がＮＡＩＣＳを指示しない旨を表す場合、端末装置２Ａ宛に値０を設定し、端末装置２Ｂ宛に値２を設定する。このようにすることで、端末装置２Ａは、自端末装置宛の１レイヤ、アンテナポート番号７、スクランブリングアイデンティティ０の信号と、１レイヤ、アンテナポート番号８、スクランブリングアイデンティティ０の干渉信号を受信することができる。端末装置２Ａは、下りリンク制御情報を介して図４の値０を受信した場合、下りリンク制御情報を増やさなくてもチャネル推定や干渉除去等を行なうことができる。端末装置２Ｂは、下りリンク制御情報を介して図３の値２を受信することで信号検出を行なうことができるため、バックワードコンパチビリティを維持することができる。上位層でＮＡＩＣＳが設定されている場合に、端末装置がＮＡＩＣＳによる干渉信号の除去または抑圧を行なわないようにする場合、基地局装置は、図４の例では、値４〜７を送信する。図４の値４〜７は自端末装置宛のレイヤ数、アンテナポート番号、スクランブルアイデンティティを示している。つまり０から７の値によって、基地局装置はＮＡＩＣＳによる干渉信号の除去または抑圧を行なうか否かを指示することができる。なお、図４において、スクランブリングアイデンティティは同一行の上段下段において同じ値を示しているが、異なっていてもよい。例えば、図５のようにしてもよい。
【００８７】
図６は、自端末装置宛にコードワード数１およびレイヤ数２を送信し、干渉信号として１レイヤ受信する場合の一例である。例えば、端末装置２ＡのＮＡＩＣＳ情報がＮＡＩＣＳを指示する旨を表し、端末装置２ＢのＮＡＩＣＳ情報がＮＡＩＣＳを指示しない旨を表す場合、端末装置２Ａ宛に値０を設定し、端末装置２Ｂ宛に値０を設定する。このようにすることで、端末装置２Ａは、自端末装置宛の信号のレイヤ数を２、アンテナポート番号を９−１０、スクランブリングアイデンティティを０と判断することができ、干渉信号のレイヤ数を１、アンテナポート番号を７、スクランブリングアイデンティティを０と判断することができる。端末装置２Ｂは、自端末装置宛の信号のレイヤ数を１、アンテナポート番号を７、スクランブリングアイデンティティを０と判断することができる。また、上位層でＮＡＩＣＳが設定されている場合であって、端末装置がＮＡＩＣＳによる干渉信号の除去または抑圧を指示しない場合、基地局装置は図６の値４又は５を端末装置２Ａに送信する。
【００８８】
図７は、自端末装置宛の信号のコードワード数が２およびレイヤ数が２の場合の一例である。例えば、端末装置２ＡのＮＡＩＣＳ情報がＮＡＩＣＳを指示する旨を表し、端末装置２ＢのＮＡＩＣＳ情報がＮＡＩＣＳを指示しない旨を表す場合、端末装置２Ａ宛に値０を設定し、端末装置２Ｂ宛に値０を設定する。このようにすることで、端末装置２Ａは、自端末装置宛のレイヤ数が２、アンテナポート番号が９−１０、スクランブリングアイデンティティが０と判断し、干渉信号のレイヤ数が１、アンテナポート番号が７、スクランブリングアイデンティティが０と判断することができる。端末装置２Ａは、下りリンク制御情報を介して図７の値０を受信した場合、干渉信号の除去または抑圧を行なうことができる。端末装置２Ｂは、下りリンク制御情報を介して図３の値０を受信することで信号検出を行なうことができるため、バックワードコンパチビリティを維持することができる。また、上位層でＮＡＩＣＳが設定されている場合であって、端末装置がＮＡＩＣＳによる干渉信号の除去または抑圧しないように指示する場合、基地局装置は図７の値４又は５を端末装置２Ａに通知することができる。
【００８９】
図８は、コードワード数１の場合の一例である。また、図８はスクランブリングアイデンティティを明示しない場合の一例である。例えば、端末装置２Ａと端末装置２ＢのＮＡＩＣＳ情報がＮＡＩＣＳを指示する旨を表す場合、端末装置２Ａ宛に値４を設定し、端末装置２Ｂ宛に値５を設定する。このようにすることで、端末装置２Ａは、自端末装置宛の２レイヤ、アンテナポート番号９−１０、スクランブリングアイデンティティ０の信号と、２レイヤ、アンテナポート番号７−８、スクランブリングアイデンティティ０の干渉信号を受信することができる。端末装置２Ａは、下りリンク制御情報を介して図８の値４を受信した場合、チャネル推定や干渉除去等を行なうことができる。端末装置２Ｂは、下りリンク制御情報を介して図８の値５を受信した場合、チャネル推定や干渉除去等を行なうことができる。このようにすることで、干渉が２レイヤのＮＡＩＣＳを実現することができる。また、上位層でＮＡＩＣＳが設定されている場合であって、基地局装置がＮＡＩＣＳによる干渉信号の除去または抑圧を指示しない場合、図８の値６又は７を端末装置２Ａに通知することができる。
【００９０】
図９は、コードワード数２の場合の一例である。また、図９はスクランブリングアイデンティティを明示しない場合の一例である。例えば、端末装置２Ａと端末装置２ＢのＮＡＩＣＳ情報がＮＡＩＣＳを指示する旨を表す場合、端末装置２Ａ宛に値２を設定し、端末装置２Ｂ宛に値３を設定する。このようにすることで、端末装置２Ａは、自端末装置宛の２レイヤ、アンテナポート番号９−１０、スクランブリングアイデンティティ０の信号と、２レイヤ、アンテナポート番号７−８、スクランブリングアイデンティティ０の干渉信号を受信することができる。端末装置２Ａは、下りリンク制御情報を介して図８の値２を受信した場合、チャネル推定や干渉除去等を行なうことができる。端末装置２Ｂは、下りリンク制御情報を介して図８の値３を受信した場合、チャネル推定や干渉除去等を行なうことができる。このようにすることで、少ない値で多くの情報を表すことができるため、干渉が２レイヤのＮＡＩＣＳを実現することができる。また、上位層でＮＡＩＣＳが設定されている場合であって、基地局装置がＮＡＩＣＳによる干渉信号の除去または抑圧を指示しない場合、図９の値４又は５を端末装置２Ａに通知することができる。
【００９１】
なお、コードワード数１の場合、図３〜６、８ではコードワード０がイネーブルド（enabled）、コードワード１がディスエーブルド（disabled）としているが、コードワード０がディスエーブルド、コードワード１がイネーブルドとしてもよい。例えば、図４を図１０のように変更してもよい。
【００９２】
基地局装置は、干渉信号のパラメータセットを上位層で設定することができる。ここで、パラメータセットとは、コードワード数、レイヤ数、アンテナポート番号、スクランブリングアイデンティティ等を含む。例えば、干渉０というパラメータセットは、コードワード数が１、レイヤ数が１、アンテナポート番号が８、スクランブルアイデンティティが０とすることができる。また干渉１というパラメータセットは、コードワード数が１、レイヤ数が１、アンテナポート番号が７、スクランブルアイデンティティが０とすることができる。図１１は、干渉０（図中ではinterference0）、干渉１（図中ではinterference1）を指定する例である。例えば、図１１で値０のとき、自端末装置宛の信号はレイヤ数が１、アンテナポート番号が７と判断することができる。干渉信号については、上位層で設定されている干渉０というパラメータセットから、コードワード数が１、レイヤ数が１、アンテナポート番号が８、スクランブルアイデンティティが０と判断することができる。なお、ここでは干渉０と干渉１の２通りの場合を説明したが、本発明はこれに限らず、パラメータセットの数は１つであっても、２より多くてもよい。また、パラメータセットは、コードワード数、レイヤ数、アンテナポート番号、スクランブリングアイデンティティだけではなく、その他の情報を含んでいてもよい。例えば、干渉信号の変調方式、送信モードなど干渉信号の除去または抑圧に用いることができる情報である。
【００９３】
なお、図４〜１１を用いて、図３と異なるテーブルを作成してそれを用いる場合について説明したが、テーブルが明示されなくてもよい。例えば、図３のテーブルだけが用意されている場合に、端末装置のＮＡＩＣＳ情報が設定されている場合、図３の値０〜７が意味する内容を読み替えるようにしてもよい。例えば、端末装置のＮＡＩＣＳ情報が設定されている場合、図３の値０が意味する内容を、自端末装置宛の信号が１レイヤ、アンテナポート番号７、スクランブリングアイデンティティ０であり、干渉信号が１レイヤ、アンテナポート番号８、スクランブリングアイデンティティ０と読み替えることができる。そのような読み替えは、図３のテーブルと異なる位置で示すことができる。
【００９４】
また、所望信号のアンテナポート番号と干渉信号のアンテナポート番号を異なるものにする場合について説明したが、アンテナポート番号を同じとし、スクランブリングアイデンティティを異なるものにするようにしてもよい。
【００９５】
なお、図４〜図１１で、端末装置が、自端末装置宛の信号と干渉信号のレイヤ数、アンテナポート番号、スクランブリングアイデンティティを判断するためのテーブルを説明したが、レイヤ数、アンテナポート番号、スクランブリングアイデンティティの一部だけが基地局装置から端末装置へ送信されるようにしてもよい。例えば、ＮＡＩＣＳ情報がＮＡＩＣＳを指示する旨を示す場合、自端末装置宛の信号と干渉信号のレイヤ数が１に固定されるようにすれば、基地局装置が端末装置に送信する情報はアンテナポート番号とスクランブリングアイデンティティだけでよいため、情報を削減することができる。
【００９６】
なお、図４〜１１の説明において、端末装置は、下りリンク制御情報から干渉信号の情報を判断した場合でも干渉除去または抑圧しなくてもよい。例えば、図４において値０を受信した場合であっても、端末装置は干渉除去を行なわなくてもよい。なお、図４〜１１の説明において、端末装置は、下りリンク制御情報からは判断できない干渉信号をブラインド検出し、ブラインド検出した干渉信号を除去または抑圧するようにしてもよい。例えば、図４において値０を受信した場合、端末装置は１レイヤ、ポート８、スクランブリングアイデンティティ０の干渉信号の到来を判断することができるが、それ以外の干渉信号をブラインド検出してもよい。
【００９７】
図１２は、制御部１０２が端末装置２Ａと端末装置２Ｂのレイヤ数、アンテナポート番号、スクランブリングアイデンティティを設定する処理の流れを示す図である。
【００９８】
Ｓ３０１において、制御部１０２は、ＮＡＩＣＳ情報がＮＡＩＣＳを指示する旨を示す端末装置が存在するかどうかを判断する。
【００９９】
Ｓ３０２において、制御部１０２は、ＮＡＩＣＳを指示された端末装置が干渉信号のレイヤ数、アンテナポート番号、スクランブリングアイデンティティを知ることができるような下りリンク制御情報を送信する。具体的に、図４〜１１で示したようなレイヤ数、アンテナポート番号、スクランブリングアイデンティティ等である。
【０１００】
Ｓ３０３において、制御部１０２は、各端末装置は自端末装置のレイヤ数、アンテナポート番号、スクランブリングアイデンティティを知ることができる下りリンク制御情報を送信する。
【０１０１】
図１３は、本実施形態における端末装置２の構成を示す概略ブロック図である。図１３に示すように、端末装置２は、上位層処理部２０１、制御部２０２、送信部２０３、受信部２０４と送受信アンテナ２０５を含んで構成される。また、上位層処理部２０１は、無線リソース制御部２０１１、スケジューリング情報解釈部２０１２、および、ＮＡＩＣＳ情報解釈部２０１３を含んで構成される。また、送信部２０３は、符号化部２０３１、変調部２０３２、上りリンク参照信号生成部２０３３、多重部２０３４、無線送信部２０３５を含んで構成される。また、受信部２０４は、無線受信部２０４１、多重分離部２０４２、信号検出部２０４３を含んで構成される。
【０１０２】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１０３】
無線リソース制御部２０１１は、自端末装置の各種設定情報の管理をする。また、無線リソース制御部２０１１は、上りリンクの各チャネルに配置される情報を生成し、送信部２０３に出力する。
【０１０４】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【０１０５】
ＮＡＩＣＳ情報解釈部２０１３は、受信部２０４を介して受信したＮＡＩＣＳ情報を解釈し、ＮＡＩＣＳ指示があるか否かを判定する。また、ＮＡＩＣＳ情報解釈部２０１３は、ＮＡＩＣＳ情報の判定結果を制御部２０２に出力する。なお、ＮＡＩＣＳ情報解釈部２０１３は、端末装置２の状況（受信品質等）によって、ＮＡＩＣＳ情報の判定結果を決定してもよい。
【０１０６】
また、ＮＡＩＣＳ情報解釈部２０１３は、端末情報を生成し、制御部２０２に出力する。なお、端末情報は、端末装置２が有する機能に関する情報である。例えば、端末装置２がＮＡＩＣＳの機能を有するか否かを示す情報でもよいし、端末装置２がＮＡＩＣＳの機能を有するか否かに関わらず、受信品質等を考慮してＮＡＩＣＳを行なうか否かを決定した情報でもよい。
【０１０７】
制御部２０２は、上位層処理部２０１から入力された情報に基づいて、受信部２０４、および送信部２０３の制御を行なう制御信号を生成する。制御部２０２は、生成した制御信号を受信部２０４、および送信部２０３に出力して受信部２０４、および送信部２０３の制御を行なう。制御部２０２は、ＮＡＩＣＳ情報の判定結果を受信部２０４に出力し、端末情報等を含む上りリンク制御情報および上りリンクデータを送信部２０３に出力する。
【０１０８】
制御部２０２は、受信部２０４を介して受信した下りリンク制御情報をＮＡＩＣＳ情報の判定結果に基づいて解釈し、レイヤ数、アンテナポート番号、スクランブリングアイデンティティを受信部２０４に出力する。
【０１０９】
ＮＡＩＣＳ情報がＮＡＩＣＳを指示する旨を表す場合、制御部２０２は、自端末装置宛のレイヤ数、アンテナポート番号、スクランブリングアイデンティティと、干渉信号のレイヤ数、アンテナポート番号、スクランブリングアイデンティティを判断することができる。
【０１１０】
ＮＡＩＣＳ情報がＮＡＩＣＳを指示する旨を表し、図４のようにレイヤ数、アンテナポート番号、スクランブリングアイデンティティが設定され、制御部２０２は、上段を自端末装置宛の情報、下段を干渉信号の情報である場合、自端末装置宛のアンテナポート番号が７であると判断し、干渉信号のアンテナポート番号が８であると判断することができる。また、制御部２０２は、図４で値４〜７が設定される場合、上位層でＮＡＩＣＳが設定されている場合であっても、ＮＡＩＣＳによる干渉信号の除去または抑圧を行なわないと判断することができる。なお、図１０のようにコードワードのイネーブルドとディスイネーブルドが逆になっていてもよい。
【０１１１】
ＮＡＩＣＳ情報がＮＡＩＣＳを指示する旨を表し、図５のようにレイヤ数、アンテナポート番号、スクランブリングアイデンティティが設定される場合、制御部２０２は、自端末装置宛に設定されるスクランブリングアイデンティティと、干渉信号のスクランブリングアイデンティティを判断することができる。
【０１１２】
ＮＡＩＣＳ情報がＮＡＩＣＳを指示する旨を表し、図６のようにレイヤ数、アンテナポート番号、スクランブリングアイデンティティが設定され、端末装置が値０を受信した場合、制御部２０２は、自端末装置宛の信号が１コードワード、２レイヤ、アンテナポート番号９−１０、スクランブリングアイデンティティ０、干渉信号が１レイヤ、アンテナポート番号７、スクランブリングアイデンティティ０と判断することができる。また、図６の場合、自端末装置宛に値４又は５が設定される場合、ＮＡＩＣＳによる干渉信号の除去または抑圧はしないと解釈することができる。
【０１１３】
ＮＡＩＣＳ情報がＮＡＩＣＳを指示する旨を表し、図７のようにレイヤ数、アンテナポート番号、スクランブリングアイデンティティが設定され、端末装置が値０を受信した場合、制御部２０２は、自端末装置宛の信号が２コードワード、２レイヤ、アンテナポート番号９−１０、スクランブリングアイデンティティ０、干渉信号が１レイヤ、アンテナポート番号７、スクランブリングアイデンティティ０と判断することができる。また、図７の場合、自端末装置宛に値４又は５が設定される場合、ＮＡＩＣＳによる干渉信号の除去または抑圧はしないと解釈することができる。
【０１１４】
図８のようにスクランブリングアイデンティティが明示されない場合、制御部２０２は、自端末装置宛にスクランブリングアイデンティティ０が設定され、スクランブリングアイデンティティ０の干渉信号が到来すると解釈することができる。なお、図８はコードワード数１の場合を示し、図９はコードワード数２の場合の例を示す。
【０１１５】
なお、端末装置は上位層の信号で干渉信号の情報を取得することもできる。例えば、図１１で値０のとき、制御部２０２は、上位層で干渉０のパラメータセットを干渉信号の情報と判断することができる。
【０１１６】
なお、自端末装置宛の信号のアンテナポート番号と干渉信号のアンテナポート番号が異なると判断する場合について説明したが、同じでもよい。その場合、自端末装置宛の信号のスクランブリングアイデンティティと干渉信号のスクランブリングアイデンティティが異なると判断するようにしてもよい。
【０１１７】
受信部２０４は、制御部２０２から入力された制御信号に従って、送受信アンテナ２０５を介して基地局装置１から受信した受信信号を、分離、復調、復号し、復号した情報を上位層処理部２０１に出力する。
【０１１８】
無線受信部２０４１は、周波数変換、フィルタリング、ＡＤ変換、振幅制御等を用いることで、送受信アンテナ２０５を介して受信された上りリンクの信号をベースバンドのディジタル信号に変換する。
【０１１９】
また、無線受信部２０４１は、変換したディジタル信号からＣＰに相当する部分を除去し、ＣＰを除去した信号に対して高速フーリエ変換を行ない、周波数領域の信号を抽出する。
【０１２０】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。なお、チャネル推定は制御部２０２から入力される自端末宛のレイヤ数、アンテナポート番号、スクランブリングアイデンティティに基づいて行なう。
【０１２１】
また、多重分離部２０４２は、ＮＡＩＣＳ指示がある場合、制御部２０２から入力される干渉信号のレイヤ数、アンテナポート番号、スクランブリングアイデンティティに基づいて干渉信号のチャネル推定を行なう。多重分離部２０４２は、干渉信号のチャネル推定値を信号検出部２０４３に出力する。
【０１２２】
信号検出部２０４３は、ＰＤＳＣＨ、チャネル推定値、およびＮＡＩＣＳ情報の判定結果を用いて、下りリンクデータ（トランスポートブロック）を検出し、上位層処理部２０１に出力する。信号検出部２０４３は、ＮＡＩＣＳ情報の判定結果がＮＡＩＣＳを指示する旨を示している場合、多重分離部２０４２から入力されるチャネル推定値と、制御部２０２から入力される干渉信号のレイヤ数、アンテナポート番号に基づいて干渉信号の除去および抑圧を行なう。なお、干渉信号を除去または抑圧する方法は、干渉信号に関するパラメータを必要とする方法であればよく、線形検出、最尤推定、干渉キャンセラ等である。線形検出は、ＬＭＭＳＥ−ＩＲＣ（Linear Minimum Mean Square Error−Interference Rejection Combining）、Ｅｎｈａｎｃｅｄ  ＬＭＭＳＥ−ＩＲＣ、ＷＬＭＭＳＥ−ＩＲＣ（Widely Linear MMSE-IRC）等である。最尤推定は、ＭＬ（Maximum Likelihood）、Ｒ−ＭＬ（Reduced complexity ML）、Ｉｔｅｒａｔｉｖｅ  ＭＬ、Ｉｔｅｒａｔｉｖｅ  Ｒ−ＭＬ等である。干渉キャンセラは、Ｔｕｒｂｏ  ＳＩＣ（Successive Interference Cancellation）、ＰＩＣ（Parallel Interference Cancellation）、Ｌ−ＣＷＩＣ（Linear Code Word level SIC）、ＭＬ−ＣＷＩＣ（ML Code Word level SIC）、ＳＬＩＣ（Symbol Level IC）、等である。
【０１２３】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０５を介して基地局装置１に送信する。
【０１２４】
符号化部２０３１は、上位層処理部２０１から入力された上りリンク制御情報を畳み込み符号化、ブロック符号化等の符号化を行なう。また、符号化部２０３１は、ＰＵＳＣＨのスケジューリングに用いられる情報に基づきターボ符号化を行なう。
【０１２５】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１２６】
上りリンク参照信号生成部２０３３は、基地局装置１を識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１２７】
多重部２０３４は、制御部２０２から入力された制御信号に従って、ＰＵＳＣＨの変調シンボルを並列に並び替えてから離散フーリエ変換（Discrete Fourier Transform: DFT）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。なお、離散フーリエ変換はＰＵＣＣＨやＰＵＳＣＨのサブキャリア数に応じた高速フーリエ変換でもよい。
【０１２８】
無線送信部２０３５は、多重された信号を逆高速フーリエ変換して、ＳＣ−ＦＤＭＡ方式の変調を行ない、ＳＣ−ＦＤＭＡシンボルを生成し、生成されたＳＣ−ＦＤＭＡシンボルにＣＰを付加し、ベースバンドのディジタル信号を生成する。無線送信部２０３５は、フィルタリング、ＤＡ変換、周波数変換、電力増幅等を用いることで、生成したベースバンドのディジタル信号を所望帯域のアナログ信号に変換する。無線送信部２０３５は、生成したアナログ信号を送受信アンテナ２０５に出力して送信する。
【０１２９】
図１４は、多重分離部２０４２と信号検出部２０４３の処理の流れを示す図である。
【０１３０】
Ｓ５０１において、信号検出部２０４３は、端末装置２のＮＡＩＣＳ情報の判定結果がＮＡＩＣＳを指示する旨を示すか否かを判定する。端末装置２のＮＡＩＣＳ情報の判定結果がＮＡＩＣＳを指示する旨を示す場合はＳ５０２へ進み、ＮＡＩＣＳを指示しない旨を示す場合はＳ５０４へ進む。
【０１３１】
Ｓ５０２において、制御部２０２は、干渉信号のレイヤ数、アンテナポート番号、スクランブリングアイデンティティを判断する。
【０１３２】
Ｓ５０３において、信号検出部２０４３は、ステップＳ５０２で得られる干渉信号のレイヤ数、アンテナポート番号、スクランブリングアイデンティティに基づいて干渉信号を除去または抑圧し、自端末装置宛の信号の復調、復号を行なう。自端末装置宛の信号の復調、復号は、制御部２０２が判断する自端末装置宛の信号のレイヤ数、アンテナポート番号、スクランブリングアイデンティティに基づいて行なうことができる。
【０１３３】
Ｓ５０４において、信号検出部２０４３は、自端末装置宛の信号の復調、復号を行なう。自端末装置宛の信号の復調、復号は、制御部２０２が判断する自端末装置宛の信号のレイヤ数、アンテナポート番号、スクランブリングアイデンティティに基づいて行なうことができる。
【０１３４】
なお、本実施形態では、図１に示したように、ユーザ間干渉が生じる通信システムを対象としたが、セル間干渉が生じる通信システムでもよい。セル間干渉が生じる通信システムにおいて、端末装置の受信信号は、自端末装置（第１の端末装置）宛の所望信号と、セル間干渉となる端末装置（第２の端末装置）宛の信号とが含まれる。第１の端末装置と接続する基地局装置は、他の基地局装置と協調し、第２の端末装置の信号を除去または抑圧するための情報（第２の端末装置のレイヤ数、アンテナポート番号、スクランブリングアイデンティティ等）を受け取る。第１の端末装置と接続する基地局装置は、第１の端末装置に対してＮＡＩＣＳを指示するか否かを決定し、ＮＡＩＣＳを指示する場合は、第２の端末装置のレイヤ数、アンテナポート番号、スクランブリングアイデンティティを含む下りリンク制御情報を第１の端末装置に送信する。端末装置は、上位層処理部２０１から通知されるＮＡＩＣＳ情報の判定結果がＮＡＩＣＳを指示する旨を示す場合に、下りリンク制御情報から端末装置に関するパラメータを把握し、干渉信号を除去または抑圧する。
【０１３５】
このように、本発明の端末装置は、基地局装置と通信する第１の端末装置であって、ＮＡＩＣＳを指示するか否かを示すＮＡＩＣＳ情報を判定する上位層処理部と、前記基地局装置から送信される下りリンク制御情報を受信する受信部と、前記上位層処理部が判定した設定に基づいて、下りリンク制御情報の解釈を変更する制御部と、を備えることを特徴とする。また、前記制御部は、前記上位層処理部で判定されるＮＡＩＣＳ情報の判定結果がＮＡＩＣＳを指示する旨を示す場合に、前記下りリンク制御情報に含まれるレイヤ数、アンテナポート番号、スクランブリングアイデンティティを示すビット列から、第２の端末装置のレイヤ数、アンテナポート番号、スクランブリングアイデンティティを把握する。また、前記第２の端末装置のレイヤ数、アンテナポート番号、スクランブリングアイデンティティを用いて、前記第２の端末装置の通信による干渉を除去または抑圧する。
【０１３６】
また、本発明の基地局装置は、第１の端末装置と通信する基地局装置であって、前記第１の端末装置にＮＡＩＣＳを指示するか否かを示すＮＡＩＣＳ情報を設定する上位層処理部と、前記ＮＡＩＣＳ情報がＮＡＩＣＳを指示する旨を示すか否かに基づいて、下りリンク制御情報のパラメータを変更する制御部と、前記下りリンク制御情報を送信する送信部と、を備える。また、本発明の基地局装置において、前記ＮＡＩＣＳ情報がＮＡＩＣＳを指示する旨を示す場合に、前記下りリンク制御情報に含まれるレイヤ数、アンテナポート番号、スクランブリングアイデンティティを示すビット列に、第２の端末装置のレイヤ数、アンテナポート番号、スクランブリングアイデンティティを含め、前記第１の端末装置に送信する。
【０１３７】
なお、上述した本発明の端末装置は、基地局装置が下りリンク制御情報に含めた干渉信号のレイヤ数、アンテナポート番号、スクランブリングアイデンティティを取得するが、基地局装置が干渉信号のレイヤ数、アンテナポート番号、スクランブリングアイデンティティをＲＲＣメッセージに含めて通知するようにし、端末装置はＲＲＣメッセージから干渉信号のレイヤ数、アンテナポート番号、スクランブリングアイデンティティを取得するようにしてもよい。この場合、所望信号のレイヤ数、アンテナポート番号、スクランブリングアイデンティティは図３に基づいて生成することができる。
【０１３８】
なお、上述した本発明の端末装置は、基地局装置が下りリンク制御情報に含めた干渉信号のレイヤ数、アンテナポート番号、スクランブリングアイデンティティを取得するが、基地局装置が干渉信号のレイヤ数、アンテナポート番号、スクランブリングアイデンティティのうち少なくとも一つを通知せず、端末装置が通知されなかった情報をブラインド検出するようにしてもよい。例えば、基地局装置が干渉信号のスクランブリングアイデンティティを通知しない場合、端末装置はスクランブリングアイデンティティ０に基づいて生成したＤＭＲＳと、スクランブリングアイデンティティ１に基づいて生成したＤＭＲＳのそれぞれでチャネル推定を行ない、高精度なチャネル推定値が得られた方を干渉信号のスクランブルアイデンティティとすることができる。
【０１３９】
上述のような処理を行なうことによって、干渉信号を除去または抑圧するために必要なパラメータは自端末装置宛の信号検出に必要なパラメータと関連付けられているため、端末装置は、前記パラメータを少ない制御情報で得ることができ、前記パラメータを用いて干渉を除去または抑圧することができる。したがって、端末装置は、制御情報の増大を抑えながら、干渉による受信性能の劣化を軽減することがすることができる。
【０１４０】
なお、本発明に係る基地局装置及び端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１４１】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における端末装置および基地局装置の一部、または全部を典型的には集積回路であるＬＳＩとして実現してもよい。受信装置の各機能ブロックは個別にチップ化してもよいし、一部、または全部を集積してチップ化してもよい。各機能ブロックを集積回路化した場合に、それらを制御する集積回路制御部が付加される。
【０１４２】
また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。
【０１４３】
なお、本願発明は上述の実施形態に限定されるものではない。本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用出来ることは言うまでもない。
【０１４４】
以上、この発明の実施形態を、図面を参照して詳述してきたが、具体的な構成はこの実施形態に限られるものではなく、この発明の要旨を逸脱しない範囲の設計等も請求の範囲に含まれる。
【産業上の利用可能性】
【０１４５】
本発明は、端末装置、基地局装置および集積回路に用いて好適である。【０１４６】
なお、本国際出願は、２０１４年３月２０日に出願した日本国特許出願第２０１４−０５７３４１号に基づく優先権を主張するものであり、日本国特許出願第２０１４−０５７３４１号の全内容を本国際出願に援用する。
【符号の説明】
【０１４７】
１  基地局装置
２Ａ、２Ｂ  端末装置
１−１  カバレッジ
１０１  上位層処理部
１０２  制御部
１０３  送信部
１０４  受信部
１０５  送受信アンテナ
１０１１  無線リソース制御部
１０１２  スケジューリング部
１０１３  ＮＡＩＣＳ情報生成部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  送受信アンテナ
２０１１  無線リソース制御部
２０１２  スケジューリング情報解釈部
２０１３  ＮＡＩＣＳ情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
【図１】
0006478229.tif 000002
【図２】
0006478229.tif 000003
【図３】
0006478229.tif 000004
【図４】
0006478229.tif 000005
【図５】
0006478229.tif 000006
【図６】
0006478229.tif 000007
【図７】
0006478229.tif 000008
【図８】
0006478229.tif 000009
【図９】
0006478229.tif 000010
【図１０】
0006478229.tif 000011
【図１１】
0006478229.tif 000012
【図１２】
0006478229.tif 000013
【図１３】
0006478229.tif 000014
【図１４】
0006478229.tif 000015